(57)【要約】【課題】乗物用シートにおいて、シートパッドのみによらず、乗り心地を調整可能とする。【解決手段】着座面（背凭れ面２５又は座面）の基本形状を形作るシートパッド３１と、シートパッド３１を表装する編物又は織物からなる表皮４１と、を備える乗物用シートであって、表皮４１は、着座面にて互いに隣接して配された第１の領域４３と第２の領域４５とを備える。第１の領域４３は、第２の領域４５に比べてより密度が低く且つより薄いことにより第２の領域４５よりも撓みやすく、第２の領域４５は、第１の領域４３に比べてより密度が高く且つより厚いことにより第１の領域４３に比べて撓みにくい。このように表皮４１が部分的に撓みやすさが異ならせることにより、着座面２５が荷重を受けた際の該着座面２５の変形態様を制御する。【選択図】図７
2015217870.tif 000002
【特許請求の範囲】
【請求項１】
着座面の基本形状を形作るシートパッドと、前記シートパッドを表装する編物又は織物からなる表皮と、を備える乗物用シートであって、
前記表皮は、前記着座面にて互いに隣接して配された第１の領域と第２の領域とを備えており、
前記第１の領域は、前記第２の領域に比べてより密度が低く且つより薄いことにより前記第２の領域よりも撓みやすく、
前記第２の領域は、前記第１の領域に比べてより密度が高く且つより厚いことにより前記第１の領域に比べて撓みにくく、
前記表皮が部分的に撓みやすさが異なることにより、前記着座面が荷重を受けた際の該着座面の変形態様が制御されていることを特徴とする乗物用シート。
【請求項２】
請求項１に記載の乗物用シートであって、
前記着座面は、乗物の停止状態で通常の着座姿勢の着座者の荷重を受け止める幅方向中央のメイン部と、前記メイン部の幅方向両側にて隆起するサイドサポート部とを備え、
前記表皮の前記第１の領域は、前記メイン部と前記サイドサポート部との間に設けられていることを特徴とする乗物用シート。
【請求項３】
請求項２に記載の乗物用シートであって、
シートバックの着座面である背凭れ面を構成する表皮が前記第１の領域と前記第２の領域とを備えており、
前記第１の領域は、前記背凭れ面の着座者の肩甲骨を支持する位置に配置されていることを特徴とする乗物用シート。
【請求項４】
請求項３に記載の乗物用シートであって、
前記第１の領域は、前記背凭れ面の着座者の肩甲骨を支持する高さから着座者の腰部を支持する高さまで下方に向かって漸次幅狭になって延びていることを特徴とする乗物用シート。
【請求項５】
請求項１に記載の乗物用シートであって、
シートクッションの着座面である座面を構成する表皮が前記第１の領域と前記第２の領域とを備えており、
前記第１の領域は、前記座面の着座者の骨盤の下方に配置されており、前記第２の領域は、前記第１の領域の前方に配置されていることを特徴とする乗物用シート。
【請求項６】
請求項５に記載の乗物用シートであって、
前記座面を構成する表皮は、前記第２の領域の前方に隣接し前記座面の前端に至る第３の領域を備えており、
前記第３の領域は、前記第２の領域に比べてより密度が低く且つより薄いことにより前記第２の領域よりも撓みやすいことを特徴とする乗物用シート。
【請求項７】
請求項１から請求項６のうちいずれか一項に記載の乗物用シートであって、
前記第１の領域と前記第２の領域とが、又は前記第１の領域と前記第２の領域と前記第３の領域とが、継ぎ目のない一枚の表皮に形成されており、前記表皮は、前記シートパッドの成形時に前記シートパッドの表面に一体化されていることを特徴とする乗物用シート。
【発明の詳細な説明】
【技術分野】
【０００１】
本発明は、乗物用シートに関する。
【背景技術】
【０００２】
従来、乗物用シートにおいては、乗り心地を向上させるために、シートパッドの硬度を部分的に変更したものがある。特許文献１には、シートクッションにおいて、シートパッドの硬度だけでなく、反発弾性率をも部分的に変更することで、乗り心地の良さを高めようとする技術が開示されている。具体的には、特許文献１に記載のシートクッションでは、幅方向両側部が中央部に比べて、より硬度が高く且つより反発弾性率が低く設定されている。かかるシートパッドによれば、着座面の幅方向両側部の硬度を高めることでホールド性を確保しながらも、反発弾性率をより低くすることで、硬度の差異による異物感を生じにくく、乗り心地の良さを高めることができるとされている。
【先行技術文献】
【特許文献】
【０００３】
【特許文献１】特開２０００−１８９２８９号公報
【発明の概要】
【発明が解決しようとする課題】
【０００４】
しかし、シートパットの物性を変更するのみでは、乗り心地の調整には限界がある。特に、シートの軽量化等を目的としてシートパット全体を薄くした場合には、シートパッドの物性を変更するだけでは乗り心地を向上させるのが難しい。
【０００５】
そこで、本発明は、シートパッドのみによらず、乗り心地を調整可能とすることを目的とした。
【課題を解決するための手段】
【０００６】
本発明は、着座面の基本形状を形作るシートパッドと、前記シートパッドを表装する編物又は織物からなる表皮と、を備える乗物用シートであって、前記表皮は、前記着座面にて互いに隣接して配された第１の領域と第２の領域とを備える。前記第１の領域は、前記第２の領域に比べてより密度が低く且つより薄いことにより前記第２の領域よりも撓みやすく、前記第２の領域は、前記第１の領域に比べてより密度が高く且つより厚いことにより前記第１の領域に比べて撓みにくい。このように前記表皮が部分的に撓みやすさが異なることにより、前記着座面が荷重を受けた際の該着座面の変形態様が制御されている。
【０００７】
この乗物用シートによれば、表皮の密度と厚みとを部分的に変えることで、着座面の変形態様を制御して、乗り心地を調整することができる。
【０００８】
本発明の乗物用シートの一実施形態において、前記着座面は、乗物の停止状態で通常の着座姿勢の着座者の荷重を受け止める幅方向中央のメイン部と、前記メイン部の幅方向両側にて隆起するサイドサポート部とを備えている。前記表皮の前記第１の領域は、前記メイン部と前記サイドサポート部との間に設けられているのが好ましい。ここで、メイン部が乗物の停止状態で通常の着座姿勢の着座者の荷重を受け止めることは、乗物の動きによって着座者に作用する加速度が無い状態において、メイン部が着座者の荷重を主に受け持つことを示す。
【０００９】
着座面は、より密度が高く且つより厚いことにより撓みにくい表皮の第２の領域で構成されている部分は、着座者の荷重が分散してシートパッドに入力されるため、その面形状が変わりにくい。しかし、メイン部とサイドサポート部との間に、より密度が低く且つより薄く撓みやすい表皮の第１領域が配置されることで、この部分では着座面が局所的に変形しやすくなっている。このため、面形状が変わりにくい領域が幅方向に分割され、メイン部が面形状を維持しつつも、荷重入力方向により大きく変位可能となる。したがって、着座者が着座面に沈み込みやすい。
【００１０】
このような乗物用シートとして、シートバックの着座面である背凭れ面を構成する表皮が前記第１の領域と前記第２の領域とを備えており、前記第１の領域が、前記背凭れ面の着座者の肩甲骨を支持する位置に配置されているものがある。この場合、乗物の旋回時に着座者が振れやすい肩甲骨の高さにて着座者が沈み込みやすくなっており、ホールド性を高めることができる。ここで、前記第１の領域は、前記背凭れ面の着座者の肩甲骨を支持する高さから着座者の腰部を支持する高さまで下方に向かって漸次幅狭になって延びているのが好ましい。この場合、腰部は最も沈み込みにくく、肩甲骨の高さに向かって漸次メイン部の沈み込み度合いが大きくなることで、着座面は、着座者の腰部をがっちり受け止めながら、肩甲骨周り（肩周り）を包み込み、乗り心地の良さを向上させることができる。
【００１１】
本発明の乗物用シートの他の実施形態において、シートクッションの着座面である座面を構成する表皮が前記第１の領域と前記第２の領域とを備えており、前記第１の領域は、前記座面の着座者の骨盤の下方に配置されており、前記第２の領域は、前記第１の領域の前方に配置されているものがある。この場合、座面は、表皮の第１の領域が配置された着座者の骨盤の下方が変形しやすく、着座者が沈み込みやすい。それに対して、その前方の第２の領域位置は荷重が分散してシートクッションに入力されるため、より沈み込みにくい。そのため、この座面では、着座者に前方への加速度が加わった際に、着座者の骨盤を、より沈み込みの小さい第２の領域にて受け止めることで、着座者の前方への相対変位を抑制することができる。ここで、前記座面を構成する表皮は、前記第２の領域の前方に隣接し前記座面の前端に至る第３の領域を備えており、前記第３の領域は、前記第２の領域に比べてより密度が低く且つより薄いことにより前記第２の領域よりも撓みやすくなっていることが好ましい。この場合、座面は、表皮の第３の領域が配置された前端位置は変形しやすく、着座者の足の運動を妨げにくい。そのため、着座者の前方への相対変位の抑制作用を有しながらも、例えば、乗物の運転席等において、ペダルを操作しやすい。
【００１２】
本発明の乗物用シートにおいては、前記第１の領域と前記第２の領域とが、又は前記第１の領域と前記第２の領域と前記第３の領域とが、継ぎ目のない一枚の表皮に形成されており、この表皮を、前記シートパッドの成形時に前記シートパッドの表面に一体化することができる。シートパッドの表面に表皮を一体成形する場合には、シートパッドの硬度等を部分的に変更することが困難であるが、表皮によって乗り心地を調整することができる。
【発明の効果】
【００１３】
本発明によれば、表皮の密度と厚みとを部分的に異ならせることにより、着座面の変形態様を制御して、乗り心地を調整することが可能となる。
【図面の簡単な説明】
【００１４】
【図１】本発明の実施形態に係る乗物用シートの斜視図である。
【図２】図１に示される乗物用シートの正面図である。
【図３】図２に示される乗物用シートのシートバックのIII−III断面図である。
【図４】図３に示されるシートバックにおいて、着座者に後方への加速度が加わったときの背凭れ面の変形態様を示す図である。
【図５】図２に示される乗物用シートのシートバックのV−V断面図である。
【図６】図５に示されるシートバックにおいて、着座者に後方への加速度が加わったときの背凭れ面の変形態様を示す図である。
【図７】図２に示される乗物用シートのシートバックのVII−VII断面図である。
【図８】図７に示されるシートバックにおいて、着座者に後方への加速度が加わったときの背凭れ面の変形態様を示す図である。
【図９】図２に示される乗物用シートのシートクッションのIX−IX断面図である。
【図１０】図９に示されるシートクッションにおいて、着座者に前方への加速度が加わったときの座面の変形態様を示す図である。
【発明を実施するための形態】
【００１５】
図面を参照しなしながら、本発明の実施形態について説明する。図１及び図２は、本発明の一側面を適用したシートバック２１（実施形態１）と、他の側面を適用したシートクッション５１（実施形態２）とを備えた乗物用シート１１を示している。なお、この乗物用シート１１の断面を示す図３〜図１０の各図においては、その特徴をより明瞭に示すために、表皮の厚みを他の部材の厚みに対する実際の比例関係よりも極端に大きく示しており、それに伴い、他の部材同士の寸法の比例関係及び各図における寸法の比例関係が異なる部分がある。
【００１６】
［実施形態１］
シートバック２１について、先ず、その構成を説明する。シートバック２１は、着座者Ｈを支持する着座面２３として、背中を支持する背凭れ面２５を備えるとともに、その上方にヘッドレスト部２７が一体形成されている。なお、図１及び図２においては、着座面２３における背凭れ面２５とヘッドレスト部２７との区分けを便宜上一点鎖線にて示している。図３に示されるように、着座面２３は、シートパッド３１で形作られている。シートパッド３１は、後面が剛体であるシェル２９で覆われ、該シェル２９に保持されている。シートパッド３１は、発泡ウレタンからなり、硬度は均一である。着座面２３を形作るシートパッド３１の表面は、その面形状に沿う表皮４１で覆われている。
【００１７】
図１及び図２等に示されるように、シートバック２１の背凭れ面２５は、着座者Ｈの背面を支持する幅方向中央のメイン部３３と、幅方向両側部にてメイン部３３より隆起したサイドサポート部３５とを備えている。なお、図１及び図２においては、背凭れ面２５におけるメイン部３３とサイドサポート部３５との区分けを、便宜上、一点鎖線にて示している。図３に示されるように、メイン部３３は、上下方向に沿って緩やかな曲面形状を成す。メイン部３３の着座者Ｈの腰部を支持する高さには、緩やかに膨らんだ腰部支持部位３７が形成されており、通常の着座姿勢の着座者Ｈの腰部を常時支持するようになっている。図１及び図２等に示されるように、サイドサポート部３５は、着座者Ｈの肩部周りを支持する高さにおいて、同じ高さのメイン部３３に対する隆起度合いが他の高さよりも大きくなっており、ショルダーサポート部位３９として形成されている。
【００１８】
着座面２３を構成する表皮４１は、継ぎ目のない一枚の編物からなる。表皮４１は、シートパッド３１の成形時にシートパッド３１の表面に一体化されている。すなわち、ウレタンを発泡成形する金型内に表皮４１が配置されることで、発泡ウレタンでシートパッド３１を成形すると同時に、その表面に表皮４１が一体化される。表皮４１は、部分的に厚みと密度とが異なることで部分的に剛性が異なっており、剛性の異なる第１の領域４３と、第２の領域４５とを有する。図１及び図２においては、便宜上、表皮４１の厚み及び密度の異なる領域の境界を破線にて示している。
【００１９】
第１の領域４３は、第２の領域４５に比べてより密度が低く且つより薄い領域であり、より撓みやすい。第１の領域４３は、本実施形態では天竺編みで形成されている。第２の領域４５は、第１の領域４３に比べてより密度が高く且つより厚い領域であり、より撓みにくい。第２の領域４５は、本実施形態ではリブ編みで形成されている。このように表皮４１の密度及び厚みが部分的に異なることで、背凭れ面２５は、変形しやすさが部分的に異なる。すなわち、表皮４１の第２の領域４５は、より剛性が高く撓みにくいため、シートパッド３１に対する着座者Ｈの荷重入力をより分散させる。そのため、背凭れ面２５は、第２の領域４５においては、より広範囲で荷重を受け止めて緩やかに凹む。これに対し、表皮４１の第１の領域４３は、より撓みやすく、且つ比較的伸びやすい。そのため、その面形状がより変形しやすい。
【００２０】
背凭れ面２５において、第１の領域４３は、背凭れ面２５のメイン部３３の両側部にてサイドサポート部３５との間に配置されている。第１の領域４３は、着座者Ｈの肩甲骨を支持する高さで最も幅広であり、下方に向かって漸次幅が狭くなっている。その下端は腰部を支持する腰部支持部位３７に至って収束している。この第１の領域４３以外の領域が、第２の領域４５として設定されている。
【００２１】
次に、このシートバック２１の背凭れ面２５の変形態様を説明しながら、その作用効果について説明する。図５、図６には、着座者Ｈの腰部を支持する高さであって、第１の領域４３が設定されていない高さにおける背凭れ面２５の変形態様が示されており、図６には、着座者Ｈに後方への加速度が作用し、着座者Ｈの背面が背凭れ面２５により強く押し当てられた際の背凭れ面２５の変形態様が示されている。かかる高さにおいては、背凭れ面２５の幅方向全体が、より剛性の高い第２の領域４５で構成されている。そのため、中央のメイン部３３に入力された荷重が幅方向全体に分散される。それにより、背凭れ面２５は、着座者Ｈの荷重を受けてメイン部３３と両サイドサポート部３５，３５を含む幅方向全体が緩やかに凹む。したがって、背凭れ面２５の荷重入力方向（後方）への変位は小さく、着座者Ｈの腰部は背凭れ面２５に沈み込みにくい。
【００２２】
図７、図８には、着座者Ｈの肩甲骨を支持する高さにおける背凭れ面２５の変形態様が示されており、図８には、着座者Ｈに後方への加速度が作用し、着座者Ｈの背面が背凭れ面２５により強く押し当てられた際の背凭れ面２５の変形態様が示されている。かかる高さにおいては、メイン部３３の幅方向両側のサイドサポート部３５，３５との間に、より剛性の低い第１の領域４３が設けられている。したがって、メイン部３３と両サイドサポート部３５，３５とに設けられた第２の領域４５は、それぞれ第１の領域４３により幅方向に分割されている。そのため、着座者Ｈの背面がメイン部３３に押し当てられると、その荷重はメイン部３３に分散して入力される。しかし、メイン部３３の幅方向両側には、より曲がりやすい第１の領域４３が設定されているため、メイン部３３に入力された荷重の分散はサイドサポート部３５には殆ど及ばず、第１の領域４３が比較的大きく曲がることで、メイン部３３は、第１の領域４３が設定されていない高さ位置に比べて、荷重入力方向（後方）へより大きく変位することが許容される。したがって、着座者Ｈが背凭れ面２５に沈み込みやすい。ここで、着座面２３において、より剛性の低い第１の領域４３は、図２等に示されるように、着座者Ｈの肩甲骨を支持する上部から下方に向かって漸次幅が狭くなっている。また、それにより、メイン部３３におけるより剛性の高い第２の領域４５は、下方に向かって漸次幅が広くなっている。そのため、図４に示されるように、メイン部３３は、肩甲骨（肩）周りにおいて荷重入力方向（後方）へ最も大きく変位可能となっており、下方に向かって、変位の程度が徐々に小さくなっている。つまり、このシートバック２１の背凭れ面２５は、着座者Ｈの肩周りが最も沈み込みやすく、腰部に向かって徐々に沈み込みにくくなっている。したがって、乗物の動きに伴いぶれやすい肩周りを包み込むように保持し、腰周りは安定して支えることができる。
【００２３】
また、このシートバック２１の背凭れ面２５は、着座者Ｈの背面の可動部位である肩甲骨を支持する位置が、より剛性の低い第１の領域４３で構成されており、押圧によって局所的に凹ませやすくなっている。そのため、着座者Ｈの背面を主に中央の剛性の高い第２の領域４５によって安定して支持しつつも、肩甲骨の動きを妨げにくい。
【００２４】
本実施形態は、本発明の要旨を逸脱しない範囲において変更可能である。例えば、本実施形態では、背凭れ面２５を構成する表皮４１に厚み及び密度が異なり撓みやすさの異なる２種の領域（第１の領域４３と第２の領域４５）が設定されているが、同一の表皮内に撓みやすさの異なる領域を３種以上設定してもよい。例えば、第２の領域４５よりも撓みやすい第１の領域４３内に、一層撓みやすい第４の領域を設定してもよい。
【００２５】
また、本実施形態では、シートパッドと表皮とを一体成形しているが、シートパッドの表面に表皮を接着してもよい。また、シートパッドは、硬度の均一なものに限らず、硬度が部分的に異なるものを用いてもよい。
【００２６】
［実施形態２］
シートクッション５１について、先ず、その構成を説明する。図１及び図２等に示されるように、シートクッション５１は、着座者Ｈが腰を下ろす座面５３を備えている。座面５３は、クッションパッド６１で形作られている。クッションパッド６１が本発明のシートパッドに相当する。図９に示されるように、クッションパッド６１は、枠型のクッションフレーム（図示省略）に被せ付けられ、上面が座面５３を形成しており、クッションフレームに掛け渡されたＳばね（図示省略）により下面が弾性支持されている。クッションパッド６１は、発泡ウレタンからなる。クッションパッド６１は、シートクッション５１の表面に沿うクッションカバー７１で覆われている。クッションパッド６１の上面の形状、すなわち座面５３の形状は、幅方向中央は概ね平らであり、幅方向両側部は膨らんでおり、全体が緩やかに前方に上がって傾斜している。幅方向中央の概ね平らな部分をメイン部５５、両側部の膨らんだ部分をサイドサポート部５７と称する（図１等参照）。
【００２７】
図９に示されるように、クッションカバー７１は、袋状であり、クッションパッド６１の上面及び側面を被覆し、開口縁はクッションパッド６１の下側へ収められている。クッションカバー７１は、外面を構成する表皮７３を備える。表皮７３の内面には、図示は省略するが、適宜、薄いスポンジ状のラミパッドと薄い織布からなる裏基布が積層される。クッションカバー７１は、裁断した表皮７３の構成ピース（表皮ピース）を縫合することで、クッションパッド６１の立体形状に対応した袋状に形成されている。クッションカバー７１は、図１等に示されるように、メイン部５５とサイドサポート部５７との境界線Ｂに沿って、クッションパッド６１に形成された溝に吊り込まれて固定されている。これにより、クッションカバー７１は、クッションパッド６１の上面の凹凸形状に沿っている。
【００２８】
メイン部５５には、継ぎ目のない一枚の編物からなる表皮ピース７５が配されている。この表皮ピース７５は、部分的に厚みと密度とが異なることで部分的に剛性が異なっており、剛性の異なる第１の領域７７と、第２の領域７９と、第３の領域８１と、を有する。第１の領域７７、第２の領域７９及び第３の領域８１は、メイン部５５を前後方向に区分けするように配置されている。図１及び図２においては、便宜上、表皮ピース７５中の厚み及び密度の領域の境界を破線にて示している。
【００２９】
図９に示されるように、第１の領域７７は、第２の領域７９に比べてより密度が低く且つより薄い領域であり、より撓みやすい。第１の領域７７は、本実施形態では天竺編みで形成されている。第１の領域７７は、着座者ＨのヒップポイントＨＰの下に配置されている。第２の領域７９は、第１の領域７７に比べてより密度が高く且つより厚い領域であり、より撓みにくい。第２の領域７９は、本実施形態では、リブ編みで形成されている。第２の領域７９は、メイン部５５の幅方向に延びる帯状であり、第１の領域７７の前方に連続して配置され、着座者Ｈの骨盤の前側に位置する。第３の領域８１は、第２の領域７９に比べてより密度が低く且つより薄い領域であり、より撓みやすい。本実施形態では、第３の領域８１は、第１の領域７７と同様に天竺編みで形成されており、第１の領域７７と同等の撓み易さを備える。
【００３０】
次に、このシートクッション５１の座面５３の変形態様を説明しながら、その作用効果について説明する。このシートクッション５１は、着座者Ｈに前方への加速度が作用したときに、着座者Ｈが前方へずれるのを抑制する作用効果を奏する。座面５３は、着座者ＨのヒップポイントＨＰの直下に位置する第１の領域７７では、表皮ピース７５がより撓みやすく、荷重の分散がより少ないため着座者Ｈによりフィットした状態で比較的大きく凹みやすい。これに対して、その前方の第２の領域７９は、より剛性が高いため、着座者Ｈの荷重がより分散されるため、より緩やかに凹む。そのため、図１０に示されるように、着座者Ｈに前方への加速度が作用して前方へ重心が移ると、着座者Ｈの荷重が第２の領域７９に受け止められ、着座者Ｈが前方へ滑りにくい。ここで、第２の領域７９の前方に位置しており、座面５３の前端まで続く第３の領域８１では、表皮ピース７５がより撓みやすく、比較的容易に面形状を変形させることができる。したがって、このシートクッション５１を運転席に適用しても、着座者Ｈのペダル操作を妨げにくい。
【００３１】
本実施形態は、本発明の要旨を逸脱しない範囲において変更可能である。例えば、本実施形態では、座面５３を構成する表皮７３に厚み及び密度が異なり撓みやすさの異なる３種の領域（第１の領域７７、第２の領域７９及び第３の領域８１）が設定されているが、同一の表皮内に撓みやすさの異なる領域を４種以上設定してもよい。例えば、最も撓みやすい第１の領域７７内に、一層撓みやすい第４の領域を設定してもよい。
【００３２】
また、本実施形態では、クッションパッドにクッションカバーとして表皮を装着して座面が構成されているが、クッションパッドの成形時にクッションパッドに表皮を一体化させてもよいし、クッションパッドに表皮を接着して一体化させてもよい。また、クッションパッドは、硬度が均一なものでも、硬度が部分的に異なるもでもよい。
【００３３】
［その他の実施形態］
本発明は、上記各実施形態および具体的に示したその変形態様に限定されるものではない。例えば、表皮において、部分的に編組織を変更することで、厚みと密度とを部分的に異ならせることが可能であるが、その具体的な編組織の組み合わせは、上記実施形態での例示に限定されるものではない。また、本発明では、織物（立体織物）からなる表皮を用いることもできる。
【符号の説明】
【００３４】
１１   乗物用シート
２１   シートバック
２３   着座面
２５   背凭れ面
３１   シートパッド
３３   メイン部
３５   サイドサポート部
４１   表皮
４３   第１の領域
４５   第２の領域
５１   シートクッション
５３   座面
５５   メイン部
５７   サイドサポート部
６１   クッションパッド
７１   クッションカバー
７３   表皮
７５   表皮ピース
７７   第１の領域
７９   第２の領域
８１   第３の領域
Ｈ     着座者
【図１】
2015217870.tif 000003
【図２】
2015217870.tif 000004
【図３】
2015217870.tif 000005
【図４】
2015217870.tif 000006
【図５】
2015217870.tif 000007
【図６】
2015217870.tif 000008
【図７】
2015217870.tif 000009
【図８】
2015217870.tif 000010
【図９】
2015217870.tif 000011
【図１０】
2015217870.tif 000012